(57)【要約】【課題】簡単な構成で物体検出と周囲光の照度測定を行うことができる光半導体装置を提供する。【解決手段】信号処理回路３０７は、タイミング生成回路３０８からのタイミング信号と、第１増幅回路(３０２,３０３)と第２増幅回路(３０５,３０６)の出力に基づいて、ＬＥＤ３１１から発光された光パルスに同期した受光信号が第１ＰＤ３０１,第２ＰＤ３０４で受光され、かつ、ＬＥＤ３１１が発光しないときに第１ＰＤ３０１,第２ＰＤ３０４で受光信号が受光されないとき、検出物３１２が有ると判別して、検出信号を出力すると共に、第１増幅回路(３０２,３０３)からの出力と第２増幅回路(３０５,３０６)からの出力の差に基づいて、照度を測定して照度信号を出力する。【選択図】図３
2010032254.tif 000002
【特許請求の範囲】
【請求項１】
受光信号を電気信号に変換する受光素子と、
上記受光素子からの電気信号を増幅する増幅回路と、
クロック信号を出力する発振器と、
上記発振器からの上記クロック信号に基づいてタイミング信号を生成するタイミング生成回路と、
上記タイミング生成回路からの上記タイミング信号に基づいて駆動信号を出力する発光素子駆動回路と、
上記発光素子駆動回路から上記駆動信号に基づいて光パルスを発光する発光素子と、
上記タイミング生成回路からの上記タイミング信号に基づいて、上記増幅回路からの出力を信号処理する信号処理回路と
を備え、
上記発光素子の前方に検出物があるとき、上記発光素子から発光された上記光パルスが上記検出物で反射して上記受光素子に受光され、
上記信号処理回路は、
上記タイミング生成回路からの上記タイミング信号および上記増幅回路の出力に基づいて、上記発光素子から発光された上記光パルスに同期した受光信号が上記受光素子で受光され、かつ、上記発光素子が発光しないときに上記受光素子で受光信号が受光されないとき、上記検出物が有ると判別して、上記検出物が有ることを表す検出信号を出力すると共に、
上記発光素子が発光しないときの上記増幅回路からの出力に基づいて、照度を測定して照度信号を出力することを特徴とする光半導体装置。
【請求項２】
請求項１に記載の光半導体装置において、
上記タイミング生成回路は、上記発振器からの上記クロック信号に基づいて、上記タイミング信号としてタイミングが異なる第１,第２,第３タイミング信号を生成し、
上記信号処理回路は、
上記タイミング生成回路からの上記第１タイミング信号および上記増幅回路の出力に基づいて、上記発光素子から発光された上記光パルスに同期した上記受光信号が上記受光素子で受光され、かつ、上記第２,第３タイミング信号において上記受光素子で受信信号が受光されないとき、上記検出物が有ると判別して、上記検出物が有ることを表す検出信号を出力すると共に、
上記第２,第３タイミング信号における上記増幅回路からの出力に基づいて、上記照度を測定することを特徴とする光半導体装置。
【請求項３】
請求項１または２に記載の光半導体装置において、
上記信号処理回路は、上記第１,第２,第３のタイミング信号に基づいて上記検出物の検出を行う信号処理において、上記第１タイミング信号にて上記受光素子の受信信号が受光され、次の上記第２,第３タイミング信号にて上記受光素子の受信信号が受光されないことが、連続して３回繰り返されたとき、上記検出物が有ると判別することを特徴とする光半導体装置。
【請求項４】
請求項１から３までのいずれか１つに記載の光半導体装置において、
上記受光素子は、受光信号を電気信号に変換する第１受光素子と、上記第１受光素子と異なる分光感度特性で受光信号を電気信号に変換する第２受光素子であり、
上記増幅回路は、上記第１受光素子からの電気信号を増幅する第１増幅回路と、上記第２受光素子からの電気信号を増幅する第２増幅回路であり、
上記信号処理回路は、
上記タイミング生成回路からの上記タイミング信号と、上記第１増幅回路または上記第２増幅回路の少なくとも一方の出力に基づいて、上記検出物の有無を判別すると共に、
上記第１増幅回路からの出力と上記第２増幅回路からの出力の差に基づいて、上記照度を測定することを特徴とする光半導体装置。
【請求項５】
請求項４に記載の光半導体装置において、
上記信号処理回路は、上記第１,第２増幅回路の出力に基づいて、上記検出物までの距離を検出することを特徴とする光半導体装置。
【請求項６】
請求項４または５に記載の光半導体装置において、
上記信号処理回路は、上記第１増幅回路からの出力と上記第２増幅回路からの出力の比に基づいて、上記検出物の有無を判別することを特徴とする光半導体装置。
【請求項７】
請求項４から６までのいずれか１つに記載の光半導体装置において、
上記信号処理回路は、上記第１増幅回路からの出力と上記第２増幅回路からの出力の比に基づいて、上記検出物までの距離を測定することを特徴とする光半導体装置。
【請求項８】
請求項７に記載の光半導体装置において、
上記第１受光素子と上記第２受光素子の分光感度特性に基づいて、上記第１増幅回路からの出力と上記第２増幅回路からの出力の比を補正することを特徴とする光半導体装置。
【請求項９】
請求項１から３までのいずれか１つに記載の光半導体装置において、
上記受光素子は、人間の視感度に略等しい分光感度特性を有することを特徴とする光半導体装置。
【請求項１０】
請求項１から９までのいずれか１つに記載の光半導体装置において、
上記信号処理回路は、上記発光素子が発光しないときの上記増幅回路からの出力に基づいて測定された上記照度が、予め設定された照度以上になると、上記検出物の有無を判別しないことを特徴とする光半導体装置。
【請求項１１】
請求項１から１０までのいずれか１つに記載の光半導体装置において、
上記受光素子がフォトダイオードであることを特徴とする光半導体装置。
【請求項１２】
請求項１から１１までのいずれか１つに記載の光半導体装置において、
機能停止用の外部制御端子を有し、
上記外部制御端子に機能停止信号が入力されたとき、消費電流を略ゼロにする電源制御回路を備えたことを特徴とする光半導体装置。
【請求項１３】
請求項１から１２までのいずれか１つに記載の光半導体装置が搭載されたことを特徴としたモバイル機器。
【請求項１４】
請求項１３に記載のモバイル機器において、
折り畳み可能な本体と、
上記本体が折り畳まれているかまたは開いているかを判別する判別部と
を備えたことを特徴としたモバイル機器。
【請求項１５】
請求項１３または１４に記載のモバイル機器において、
上記光半導体装置の上記信号処理回路は、上記検出物を検出したとき、照度を測定しないことを特徴としたモバイル機器。
【発明の詳細な説明】
【技術分野】
【０００１】
この発明は、光半導体装置およびモバイル機器に関し、より詳しくは、携帯電話などのモバイル機器に好適な光半導体装置に関する。
【背景技術】
【０００２】
近年、光半導体装置としては、携帯電話等に代表される画面付きモバイル機器に、画面の輝度を自動調整するために搭載された照度センサがある(例えば、特開平９−１４６０７３号公報(特許文献１)参照)。これは、モバイル機器の画面には、薄くて軽い特徴の液晶パネルが標準的に使用されているが、液晶パネルの消費電力を抑えバッテリーを長時間持たせる目的と、液晶パネルの原理上、液晶背後のバックライトを常時点灯して、液晶にてバックライトを透過／遮断の制御をしている。このため、暗い部屋では、液晶でバックライトを遮断しているにもかかわらず、漏れ光が無視できなく黒色が灰色に見え、コントラスト比が悪化するという問題を解決するため、モバイル機器には照度センサを搭載することが必須となっている。
【０００３】
また、携帯電話では、タッチパネル機能付き画面が採用され、入力ヒューマンインターフェースが向上しているが、同時に通話中にタッチパネル機能が人の肌を検出するため、タッチパネル機能が誤作動する問題があり、人の肌(主に頬)を検出するセンサが必要である。このようなタッチパネル機能では、光学式のセンサも実現可能であり、光学式の物体検出センサが提案されている(例えば、特開昭６２−８５８８５号公報(特許文献２)参照)。
【０００４】
このような物体検出センサと周囲光の照度を測定する照度センサは、いずれも光学的センサであるにもかかわらず、一般的に図１,図２で図示するように別々に構成されている。
【０００５】
図１に示す物体検出センサは、ＰＤ(フォトダイオード)１０１と、増幅器１０２,１０３と、同期検出回路１０４と、発振器１０５と、ＬＥＤドライバ部１０６と、ＬＥＤ１０７とを備え、ＬＥＤ１０７から出射され、検出物１０８で反射した光をＰＤ１０１により受光する。上記同期検出回路１０４は、ＬＥＤ１０７の発光タイミングに同期して検出物１０８の有無を検出し、その結果を検出信号として出力する。
【０００６】
また、図２に示す照度センサは、ＰＤ２０１と、ＰＤ２０２と、増幅器２０３,２０４と、作動増幅器２０５と、照度信号を出力する出力回路２０６とを備えている。
【０００７】
上記別々に構成された物体検出センサと照度センサの両方が搭載されるモバイル機器では、コストが高くつき、さらにシステム構成を複雑にする要因となっている。
【特許文献１】特開平９−１４６０７３号公報
【特許文献２】特開昭６２−８５８８５号公報
【発明の開示】
【発明が解決しようとする課題】
【０００８】
そこで、この発明の課題は、簡単な構成で物体検出と周囲光の照度測定を行うことができる光半導体装置を提供すると共に、上記光半導体装置を用いることによりシステム構成を簡略化できるモバイル機器を提供することにある。
【課題を解決するための手段】
【０００９】
上記課題を解決するため、この発明の光半導体装置は、
受光信号を電気信号に変換する受光素子と、
上記受光素子からの電気信号を増幅する増幅回路と、
クロック信号を出力する発振器と、
上記発振器からの上記クロック信号に基づいてタイミング信号を生成するタイミング生成回路と、
上記タイミング生成回路からの上記タイミング信号に基づいて駆動信号を出力する発光素子駆動回路と、
上記発光素子駆動回路から上記駆動信号に基づいて光パルスを発光する発光素子と、
上記タイミング生成回路からの上記タイミング信号に基づいて、上記増幅回路からの出力を信号処理する信号処理回路と
を備え、
上記発光素子の前方に検出物があるとき、上記発光素子から発光された上記光パルスが上記検出物で反射して上記受光素子に受光され、
上記信号処理回路は、
上記タイミング生成回路からの上記タイミング信号および上記増幅回路の出力に基づいて、上記発光素子から発光された上記光パルスに同期した受光信号が上記受光素子で受光され、かつ、上記発光素子が発光しないときに上記受光素子で受光信号が受光されないとき、上記検出物が有ると判別して、上記検出物が有ることを表す検出信号を出力すると共に、
上記発光素子が発光しないときの上記増幅回路からの出力に基づいて、照度を測定して照度信号を出力することを特徴とする。
【００１０】
上記構成の光半導体装置によれば、簡単な構成で検出物の有無の検出と周囲光の照度の測定を１デバイスで実現して、コストを増大させることなく、小型で安価な光半導体装置を実現することができる。
【００１１】
また、一実施形態の光半導体装置では、
上記タイミング生成回路は、上記発振器からの上記クロック信号に基づいて、上記タイミング信号としてタイミングが異なる第１,第２,第３タイミング信号を生成し、
上記信号処理回路は、
上記タイミング生成回路からの上記第１タイミング信号および上記増幅回路の出力に基づいて、上記発光素子から発光された上記光パルスに同期した上記受光信号が上記受光素子で受光され、かつ、上記第２,第３タイミング信号において上記受光素子で受信信号が受光されないとき、上記検出物が有ると判別して、上記検出物が有ることを表す検出信号を出力すると共に、
上記第２,第３タイミング信号における上記増幅回路からの出力に基づいて、上記照度を測定する。
【００１２】
上記実施形態によれば、上記発振器のクロック信号に基づいて、時分割にて検出物の有無の判断と周囲光の照度の測定を別々に行うことにより、２つの動作が重なることがなく、物体検出信号と周囲光の照度信号を出力することが可能となる。
【００１３】
また、一実施形態の光半導体装置では、
上記信号処理回路は、上記第１,第２,第３のタイミング信号に基づいて上記検出物の検出を行う信号処理において、上記第１タイミング信号にて上記受光素子の受信信号が受光され、次の上記第２,第３タイミング信号にて上記受光素子の受信信号が受光されないことが、連続して３回繰り返されたとき、上記検出物が有ると判別する。
【００１４】
上記実施形態によれば、第１タイミング信号にて受光素子の受信信号が受光され、次の第２,第３タイミング信号にて受光素子の受信信号が受光されないことが、３回連続で起こったときに初めて、検出物が有ると判別することによって、例えば、蛍光灯ノイズが外乱光として入射されても、蛍光灯のインバータ周波数と発振器との周波数が合致しない限り、誤検出することがないと共に、突然入力されるスパイクノイズに対しても、ノイズ耐性を向上させることができる。
【００１５】
また、一実施形態の光半導体装置では、
上記受光素子は、受光信号を電気信号に変換する第１受光素子と、上記第１受光素子と異なる分光感度特性で受光信号を電気信号に変換する第２受光素子であり、
上記増幅回路は、上記第１受光素子からの電気信号を増幅する第１増幅回路と、上記第２受光素子からの電気信号を増幅する第２増幅回路であり、
上記信号処理回路は、
上記タイミング生成回路からの上記タイミング信号と、上記第１増幅回路または上記第２増幅回路の少なくとも一方の出力に基づいて、上記検出物の有無を判別すると共に、
上記第１増幅回路からの出力と上記第２増幅回路からの出力の差に基づいて、上記照度を測定する。
【００１６】
上記実施形態によれば、分光感度特性の異なる２つの第１,第２受光素子からの電気信号を増幅する第１,第２増幅回路からの出力の差をとることにより、総合的な分光感度を人間の視感度に容易に合わせ込むことが可能となり、人間の視感度に対応する照度を測定することができる。
【００１７】
また、一実施形態の光半導体装置では、上記信号処理回路は、上記第１,第２増幅回路の出力に基づいて、上記検出物までの距離を検出する。
【００１８】
上記実施形態によれば、単に検出物の有無を判別するだけでなく、第１,第２増幅回路の出力が表す受信光強度により検出物までの距離を測定することができ、より精度の高い測定をすることができる。
【００１９】
また、一実施形態の光半導体装置では、上記信号処理回路は、上記第１増幅回路からの出力と上記第２増幅回路からの出力の比に基づいて、上記検出物の有無を判別する。
【００２０】
上記実施形態によれば、上記第１増幅回路からの出力と第２増幅回路からの出力の比に基づいて、２つの第１,第２受光素子を用いて三角測量を行うことにより、検出物からの反射光強度に基づいて検出物の有無を判別する方法(検出物の反射率に左右される)よりも、検出物の有無を正確に判別することができる。
【００２１】
また、一実施形態の光半導体装置では、上記信号処理回路は、上記第１増幅回路からの出力と上記第２増幅回路からの出力の比に基づいて、上記検出物までの距離を測定する。
【００２２】
上記実施形態によれば、上記第１増幅回路からの出力と第２増幅回路からの出力の比に基づいて、２つの第１,第２受光素子を用いて三角測量を行うことにより、反射物からの光強度に基づいて距離を測定する方法(検出物の反射率に左右される)よりも、検出物までの距離を正確に測定することができる。
【００２３】
また、一実施形態の光半導体装置では、上記第１受光素子と上記第２受光素子の分光感度特性に基づいて、上記第１増幅回路からの出力と上記第２増幅回路からの出力の比を補正する。
【００２４】
上記実施形態によれば、２つの第１,第２受光素子の分光感度の違いを補正することにより、精度の高い距離測定を行うことができる。
【００２５】
また、一実施形態の光半導体装置では、上記受光素子は、人間の視感度に略等しい分光感度特性を有する。
【００２６】
上記実施形態によれば、光学系を可視光領域で設計でき、携帯電話等で使われているイルミネーション用可視光ＬＥＤを光源に共用できることにより低コスト化が図れる。また、赤外領域に感度を持たない人間の視感度に合わせ込んだ分光感度特性の受光素子を搭載できるので、照度測定時の精度を向上できる。
【００２７】
また、一実施形態の光半導体装置では、上記信号処理回路は、上記発光素子が発光しないときの上記増幅回路からの出力に基づいて測定された上記照度が、予め設定された照度以上になると、上記検出物の有無を判別しない。
【００２８】
上記実施形態によれば、周囲光の照度が高くなると増幅回路が飽和する可能性があり、物体検出の精度が保てなくなるので、予め設定された照度以上になったときに、検出物の有無を判別する機能を停止させることにより、誤動作を防止することができる。
【００２９】
また、一実施形態の光半導体装置では、上記受光素子がフォトダイオードである。
【００３０】
上記実施形態によれば、受光素子をフォトダイオードで構成することにより、安価で高精度な光半導体装置を提供することができる。
【００３１】
また、一実施形態の光半導体装置では、
機能停止用の外部制御端子を有し、
上記外部制御端子に機能停止信号が入力されたとき、消費電流を略ゼロにする電源制御回路を備えた。
【００３２】
上記実施形態によれば、外部制御端子に機能停止信号が入力されたとき、電源制御回路により消費電流を略ゼロにする機能停止(シャットダウン)機能を有することにより、機能停止により省エネルギー化が図れる。
【００３３】
また、この発明のモバイル機器では、上記のいずれか１つの光半導体装置が搭載されたことを特徴とする。
【００３４】
上記構成のモバイル機器によれば、簡単な構成で物体検出と周囲光の照度測定を行うことができる光半導体装置を用いることによって、システム構成を簡略化できる。
【００３５】
また、一実施形態のモバイル機器では、
折り畳み可能な本体と、
上記本体が折り畳まれているかまたは開いているかを判別する判別部と
を備えた。
【００３６】
上記実施形態によれば、本体が折り畳まれているかまたは開いているかを判別部により判別することによって、本体が開いているときのみ光半導体装置を用いて物体検出と周囲光の照度測定を行うことが可能となり、本体が折り畳まれた状態で光半導体装置の不必要な動作を防止できる。
【００３７】
また、一実施形態のモバイル機器では、上記光半導体装置の上記信号処理回路は、上記検出物を検出したとき、照度を測定しない。
【００３８】
上記実施形態によれば、上記光半導体装置の信号処理回路が検出物を検出したとき、照度を測定しないことによって、検出物に周囲光が遮られることによる照度の誤測定を防止できる。
【発明の効果】
【００３９】
以上より明らかなように、この発明の光半導体装置およびモバイル機器によれば、簡単な構成で物体検出と周囲光の照度測定を行うことができる光半導体装置およびそれを用いてシステム構成を簡略化できるモバイル機器を実現することができる。
【発明を実施するための最良の形態】
【００４０】
以下、この発明の光半導体装置を図示の実施の形態により詳細に説明する。
【００４１】
〔第１実施形態〕
図３はこの発明の第１実施形態の光半導体装置の具体的な構成を示すブロック図である。
【００４２】
この第１実施形態の光半導体装置は、図３に示すように、受光信号を電気信号に変換する第１受光素子の一例としての第１ＰＤ(フォトダイオード)３０１と、受光信号を電気信号に変換する第２受光素子の一例としての第２ＰＤ(フォトダイオード)３０４と、上記第１ＰＤ３０１からの電気信号を増幅する第１増幅器３０２と第２増幅器３０３と、上記第２ＰＤ３０４からの電気信号を増幅する第３増幅器３０５と第４増幅器３０６と、クロック信号を出力する発振器３０９と、上記発振器３０９からのクロック信号に基づいて第１〜第３タイミング信号を生成するタイミング生成回路３０８と、上記タイミング生成回路３０８からの第１タイミング信号に基づいて駆動信号を出力するＬＥＤドライバ部３１０と、上記ＬＥＤドライバ部３１０から駆動信号に基づいて光パルスを発光する発光素子の一例としてのＬＥＤ(Light Emitting Diode：発光ダイオード)３１１と、上記タイミング生成回路３０８からの第１〜第３タイミング信号に基づいて、第２増幅器３０３からの出力と第４増幅器３０６からの出力を信号処理する信号処理回路３０７とを備えている。
【００４３】
また、上記ＬＥＤドライバ部３１０の出力がベースに接続され、エミッタが接地されたトランジスタＱ３０１のコレクタに、ＬＥＤ３１１のカソードが接続されている。上記ＬＥＤ３１１のアノードに抵抗Ｒ３０１を介して電源Ｖccが接続されている。上記ＬＥＤドライバ部３１０とトランジスタＱ３０１と抵抗Ｒ３１０で発光素子駆動回路を構成している。
【００４４】
上記光半導体装置は、発振器３０９からのクロック信号に基づいて、タイミング生成回路３０８により第１タイミング信号〜第３タイミング信号が生成される。第１タイミング信号はＬＥＤ発光用の駆動信号を兼ねており、ＬＥＤドライバ部３１０に入力され、第１タイミング信号にてＬＥＤ３１１が発光する。ＬＥＤ３１１の前方に検出物３１２がある場合、ＬＥＤ３１１から出力された光パルスは、検出物３１２において反射され、第１ＰＤ３０１および第２ＰＤ３０４で受光される。
【００４５】
この発明では、受光素子の最良の形態はフォトダイオードである。これは、安価であると同時に高精度な測定を可能とするからである。また、検出されるべき物体がない場合は、第１ＰＤ３０１,第２ＰＤ３０４は、周囲の光に比例した電流を出力する。この場合の第１ＰＤ３０１,第２ＰＤ３０４からの出力は、微弱な信号であるため、それぞれ第１増幅器３０２,第２増幅器３０３と、第３増幅器３０５,第４増幅器３０６において信号が増幅される。上記第１増幅器３０２と第２増幅器３０３で第１増幅回路を構成し、第３増幅器３０５と第４増幅器３０６で第２増幅回路を構成している。
【００４６】
図４は上記光半導体装置のタイミングチャートを示している。図４に示すように、タイミング生成回路３０８では、発振器３０９からのクロック信号を処理している。このタイミング生成回路３０８で生成された第２タイミング信号と第３タイミング信号は、照度測定のためのサンプルホールド(ＳＨ)のタイミングおよび物体検出の誤動作防止のためのタイミングとして使われている。
【００４７】
図４(a)は検出物３１２の有無、図４(b)はクロック信号、図４(c)は第１タイミング信号、図４(d)は第２タイミング信号、図４(e)は第３タイミング信号、図４(f)は発光波形、図４(g)は第１ＰＤ３０１の受信波形、図４(h)は第２ＰＤ３０４の受信波形、図４(i)は検出信号図４(j)は第１ＰＤ_SH信号、図４(k)は第２ＰＤ_SH信号、図４(m)は照度信号を示している。
【００４８】
(物体検出機能)
まず、上記光半導体装置の物体検出機能から説明する。
【００４９】
上記信号処理回路３０７により、検出物３１２の有無はＬＥＤ３１１から発光された光パルスが検出物３１２で反射して第１ＰＤ３０１により検出されるか、または、第２ＰＤ３０４により検出されるかで判別する。この物体検出の判断は、第１ＰＤ３０１のみの出力から判断してもよいし、第２ＰＤ３０４のみとしてもよい。あるいは、第１ＰＤ３０１,第２ＰＤ３０４の出力の論理積をとってもよい。
【００５０】
第１,第２増幅器３０２,３０３で増幅された後の波形を受信波形(第１ＰＤ３０１)を図４(g)に、第２ＰＤ３０４の第３,第４増幅器３０５,３０６で増幅された後の波形を受信波形(第２ＰＤ３０４)を図４(h)に示している。信号処理回路３０７における物体検出の判断は、第１タイミング信号に同期した受信信号があるかどうか、また、第２タイミング信号および第３タイミング信号に同期した受信信号がないかどうかを判別している。第２タイミング信号、第３タイミング信号にて同期信号がないどうかを判別するのは、信号光以外の外乱光ノイズによる誤動作を防止するためである。
【００５１】
また、上記光半導体装置は、第１タイミング信号にて受信信号が受光され、次の第２,第３タイミング信号にて受信信号が受光されないことが３回連続で起こった場合に初めて、検出物３１２の有無を判別する機能を付加することが望ましい。この場合、例えば、蛍光灯ノイズが外乱光として入射されても、蛍光灯のインバータ周波数と発振器３０９との周波数が合致しない限り、誤検出することはない。また、突然入力されるスパイクノイズに対しても、ノイズ耐性を向上させることができる。
【００５２】
上記光半導体装置は、後述する周囲光の照度を測定する機能を備えているため、ある照度以上となった場合は、物体検出機能を停止した方が良い。これは高照度になれば、第１〜第４増幅器３０２,３０３,３０５,３０６の出力が飽和してしまい、物体を検出できなくなるためである。
【００５３】
図５に第１実施形態の光半導体装置の距離に対するＰＤ(フォトダイオード)の光量の一例を示している。図５において、横軸は検出物までの距離(任意目盛)を表し、縦軸は反射光強度(任意目盛)を表している。
【００５４】
図５に示す特性に基づいて、ある光量でしきい値を決定し、その光相当の距離より近いか、遠いかの２値のデジタル信号で出力することもできる。さらにはアナログ信号のまま出力し、検出物までの略距離を測定してもよい。ただし、検出物の反射率により反射光強度は変化するので、概略の距離を測定する用途に限定される。
【００５５】
また、構成される光学系にもよるが、通常は、距離＝０の時は出力が０となり、物体を検出できない。図５より縦軸１つの光強度値に対し、２つの検出距離を持つことになり、距離測定としては一意性がない。したがって、距離＝０から反射光強度がピークなる近距離部分はデバイスの不感部分とし、ピーク光量に対する距離から遠距離の距離を測定することが望ましい。
【００５６】
(照度測定機能)
次に、周囲光の照度を測定する手順について、図６に各ＰＤの分光感度特性を用いて説明する。図６において、横軸は波長(任意目盛)を表し、縦軸は相対強度(任意目盛)を表している。
【００５７】
図６に示すように、第１ＰＤ３０１と第２ＰＤ３０４の分光感度特性のピーク波長が互いに異なることにより、
第１ＰＤ３０１−ｋ×第２ＰＤ３０４      (ただし、ｋは定数)
を演算することにより、図６の点線のような第１ＰＤ３０１や第２ＰＤ３０４と異なる新しい分光感度特性を作り出すことができる。この点線の感度を人間の視感度に合わせ込むことにより、照度を測定することができる。
【００５８】
信号処理のタイミングとしては、図４のタイミングチャートの第２タイミング信号と第３タイミング信号に同期した信号処理となり、ＬＥＤ３１１が発光する第１タイミング信号とは時間的に分割される。これは、周囲光の照度を高精度に測定するためであり、自発光であるＬＥＤ光と周囲光との混信を避けるためである。
【００５９】
物体検出時と共通の第１ＰＤ３０１,第２ＰＤ３０４からの出力の受信波形(第１ＰＤ３０１)、受信波形(第２ＰＤ３０４)をそれぞれの第２タイミング信号,第３タイミング信号にてサンプルホールドした波形が図４(i)に示す第１ＰＤ_SH信号、図４(j)に示す第２ＰＤ_SH信号である。この第１ＰＤ_SH信号、第２ＰＤ_SH信号の差を表す信号が照度信号であり、人間の視感度に合った照度出力となる。
【００６０】
なお、照度信号は、第３タイミング信号で得られた信号レベルを、次の第３タイミング信号のパルスがくるまでサンプルホールドされることが望ましい。
【００６１】
上記構成の光半導体装置によれば、簡単な構成で検出物３１２の有無の検出と周囲光の照度の測定を１デバイスで実現して、コストを増大させることなく、小型で安価な光半導体装置を実現することができる。なお、ＬＥＤ３１１から発光される光パルスは、赤外線であることが望ましく、その場合、第１ＰＤ３０１,第２ＰＤ３０４は、赤外領域に感度特性を有する。
【００６２】
また、上記発振器３０９のクロック信号に基づいて、時分割にて検出物３１２の有無の判断と周囲光の照度の測定を別々に行うことにより、２つの動作が重なることがなく、物体検出信号と周囲光の照度信号を出力することが可能となる。
【００６３】
また、分光感度特性の異なる２つの第１ＰＤ３０１,第２ＰＤ３０４からの電気信号を増幅して第１,第２増幅回路(３０２,３０３,３０５,３０６)からの出力の差により、分光感度を人間の視感度に容易に合わせ込むことが可能となり、人間の視感度に対応する照度を測定することができる。
【００６４】
また、上記信号処理回路３０７は、ＬＥＤ３１１から発光された光パルスが検出物３１２から反射した受光信号を表す第１,第２増幅回路(３０２,３０３,３０５,３０６)の出力に基づいて、検出物３１２までの距離を検出することにより、単に検出物３１２の有無を判別するだけでなく、第１,第２増幅回路(３０２,３０３,３０５,３０６)の出力が表す受信光強度により検出物３１２までの距離を測定することができ、より精度の高い測定をすることができる。
【００６５】
また、周囲光の照度が高くなると、第１,第２増幅回路(３０２,３０３,３０５,３０６)が飽和する可能性があり、物体検出の精度が保てなくなるので、予め設定された照度以上になったときに、検出物３１２の有無を判別する機能を停止させることにより、誤動作を防止することができる。
【００６６】
通常の使用方法では、物体を検出している時は、検出物３１２の大きさにもよるが、周囲光は検出物３１２に遮断されていると考えられるので、検出物３１２を検出したときは、照度測定機能を停止することが好ましい。
【００６７】
また、上記光半導体装置に機能停止用の外部制御端子と、各増幅器と電源の間、ＬＥＤドライバ部と電源の間に半導体スイッチを設けて、光半導体装置が使用されない場合は、外部制御端子に機能停止信号を入力することにより、電源制御回路(図示せず)により半導体スイッチをオフして、機能停止(シャットダウン)時の消費電流がほとんど流れない待機モードとなるが望ましい。
【００６８】
〔第２実施形態〕
図７はこの発明の第２実施形態の光半導体装置の構成を示している。
【００６９】
この第２実施形態の光半導体装置は、図７に示すように、ＬＥＤ３１１と、第１ＰＤ３０１と、第２ＰＤ３０４と、ＬＥＤ３１１と第１ＰＤ３０１と第２ＰＤ３０４を覆う透明樹脂モールド部７００と信号処理部７０３を備えている。上記第１ＰＤ３０１と第２ＰＤ３０４は、ＬＥＤ３１１の出射方向に対して略直角方向に所定の間隔をあけて第１ＰＤ３０１を配置し、さらにその第１ＰＤ３０１よりも外側に第２ＰＤ３０４を配置している。上記ＬＥＤ３１１と第１ＰＤ３０１との間に遮光部７０２を配置している。
【００７０】
上記透明樹脂モールド部７００は、ＬＥＤ３１１の出射光を集光するレンズ部７００aと、ＬＥＤ３１１から出射された光が検出物７０１で反射した反射光を第１ＰＤ３０１と第２ＰＤ３０４の受光面に集光するレンズ部７００bとを備えている。
【００７１】
この光半導体装置の回路構成は、第１実施形態の図３のブロック図に示す回路構成と同じ構成をしており、動作タイミングは図４の通りであり、図３,図４を援用する。ここでは、第１実施形態と違う部分について説明する。
【００７２】
この第２実施形態では、三角測量を行うため、第１ＰＤ３０１と第２ＰＤ３０４の配置が重要となってくる。図７はその一例で検出物７０１が近い場合、検出物７０１からの反射光量は、第１ＰＤ３０１よりも第２ＰＤ３０４が多くなる。逆に、検出物７０１の距離が遠い場合、検出物７０１からの反射光量は、第２ＰＤ３０４よりも第１ＰＤ３０１が多くなる。信号の出力としては、第１ＰＤ３０１＋第２ＰＤ３０４全光量に占める第１ＰＤ３０１の光量の比となり、これを距離別にプロットした図が図８である。図８において、横軸は検出物までの距離(任意目盛)を表し、縦軸は第１ＰＤ３０１／(第１ＰＤ３０１＋第２ＰＤ３０４)出力(任意目盛)を表している(図８ではＰＤ１／(ＰＤ１＋ＰＤ２)出力で示す)。
【００７３】
第１ＰＤ３０１／(第１ＰＤ３０１＋第２ＰＤ３０４)出力をアナログ信号で出力することにより、一意に検出物７０１の距離を測定することができる。また、単に検出物７０１の有無を判別する用途では、第１ＰＤ３０１／(第１ＰＤ３０１＋第２ＰＤ３０４)出力に要望のしきい値を決め、その距離より近くに、あるいは遠くに物体が有るか無いかを判別できる。
【００７４】
ただし、この第２実施形態でも、第１実施形態と同様に周囲光の照度を測定するため、第１ＰＤ３０１と第２ＰＤ３０４の分光感度が異なる。三角測量による距離測定は、第１ＰＤ３０１／(第１ＰＤ３０１＋第２ＰＤ３０４)の比が重要となってくるため、第１ＰＤ３０１と第２ＰＤ３０４の分光感度の違いを補正することが重要となってくる。図８は、この補正を行なった結果の第１ＰＤ３０１(第１ＰＤ３０１＋第２ＰＤ３０４)出力である。
【００７５】
上記第２実施形態の光半導体装置は、第１実施形態の光半導体装置と同様の効果を有する。
【００７６】
また、上記第１増幅回路(３０２,３０３)からの出力と第２増幅回路(３０５,３０６)からの出力の比に基づいて、２つの第１ＰＤ３０１,第２ＰＤ３０４を用いて三角測量を行うことにより、検出物７０１からの反射光強度に基づいて検出物７０１の有無を判別する方法(検出物の反射率に左右される)よりも、検出物７０１の有無を正確に判別することができる。
【００７７】
また、上記第１増幅回路(３０２,３０３)からの出力と第２増幅回路(３０５,３０６)からの出力の比に基づいて、２つの第１ＰＤ３０１,第２ＰＤ３０４を用いて三角測量を行うことにより、反射物７０１からの光強度に基づいて距離を測定する方法(検出物の反射率に左右される)よりも、検出物７０１までの距離を正確に測定することができる。
【００７８】
また、２つの第１ＰＤ３０１,第２ＰＤ３０４の分光感度の違いを補正することにより、精度の高い距離測定を行うことができる。
【００７９】
〔第３実施形態〕
図９はこの発明の第３実施形態の光半導体装置の具体的な構成を示すブロック図である。
【００８０】
この第３実施形態の光半導体装置は、図９に示すように、受光信号を電気信号に変換する受光素子の一例としてのＰＤ９０１と、上記ＰＤ９０１からの電気信号を増幅する増幅器９０２および増幅器９０３と、クロック信号を出力する発振器９０６と、上記発振器９０６からのクロック信号に基づいてタイミング信号を生成するタイミング生成回路９０５と、上記タイミング生成回路９０５からのタイミング信号に基づいて駆動信号を出力するＬＥＤドライバ部９０７と、上記ＬＥＤドライバ部９０７からの駆動信号に基づいて光パルスを発光する発光素子の一例としてのＬＥＤ９０８と、上記タイミング生成回路９０５からのタイミング信号に基づいて、増幅器９０３からの出力を信号処理する信号処理回路９０４とを備えている。上記増幅器９０２と増幅器９０３で増幅回路を構成している。
【００８１】
上記ＬＥＤドライバ部９０７の出力がベースに接続され、エミッタが接地されたトランジスタＱ９０１のコレクタに、ＬＥＤ９０８のカソードが接続されている。上記ＬＥＤ９０８のアノードに抵抗Ｒ９０１を介して電源Ｖccが接続される。上記ＬＥＤドライバ部９０７とトランジスタＱ９０１と抵抗Ｒ９０１で発光素子駆動回路を構成している。
【００８２】
この第３実施形態の光半導体装置は、可視光領域にて第１実施形態の測定を行う。したがって、ＰＤ９０１の分光感度は、人間の視感度(図６点線)相当の感度を有している。また、ＬＥＤ９０８は白色ＬＥＤが望ましい。この第３実施形態では、第１実施形態における第２ＰＤ３０４、第３タイミング信号の信号処理が省けるため、信号処理部分は簡素化できる。しかし、視感度の分光感度を持ったフォトダイオードは、光学フィルタをフォトダイオードに蒸着するか、視感度にバンドギャップがある物性材料を使用するため、通常はコスト高となる。
【００８３】
また、上記ＰＤ９０１が人間の視感度に等しい分光感度特性を有することによって、光学系を可視光領域で設計でき、携帯電話等で使われているイルミネーション用可視光ＬＥＤを光源に共用できることにより低コスト化が図れる。また、赤外領域に感度を持たない人間の視感度に合わせ込んだ分光感度特性の受光素子を搭載できるので、照度測定時の精度を向上できる。
【００８４】
〔第４実施形態〕
この発明の光半導体装置は携帯電話に搭載されることが望ましい。
【００８５】
図１０はこの発明の光半導体装置２が搭載されたモバイル機器の一例としての携帯電話１を示す図であり、図１１は上記携帯電話１の構成を示す概略ブロック図である。
【００８６】
図１０,図１１に示す携帯電話は、光半導体装置２と、上記光半導体装置２からの照度信号と検出信号(近接情報)を受けて、携帯電話１本体を制御する制御装置３とを備えている。
【００８７】
この携帯電話機１に光半導体装置２を搭載することにより、携帯電話１の画面の輝度を周囲光の照度により自動調光することができる。また、操作者が通話中の場合、操作者の肌(頬や耳等)を検出物としてセンシングすることにより、画面のタッチパネル機能を停止することや画面のバックライトをオフすることができる。
【００８８】
また、近年、携帯電話等では、折りたたみ式の携帯電話が流通しているが、この発明の光半導体装置を使用することで、検出物の近接情報あるいは距離情報と照度情報により、携帯電話が折り畳まれているか、折り畳まれていないかを判別することができる。例えば、検出物が検出されている状態で、照度が１０ルクス以下の場合、携帯電話が折りたたまれていると判別することができる。本発明の光半導体装置で、折りたたみ式の携帯電話が折りたたまれているか否かを判別できることにより、現状メカ式スイッチで行なっている判別部を削減でき、部品点数を減らし、安価な携帯電話を実現する事ができる。
【００８９】
なお、本体が折り畳まれているかまたは開いているかを判別する判別部を備えた携帯電話では、この発明の光半導体装置を用いて本体が開いているときのみ物体検出と周囲光の照度測定を行うことが可能となり、本体が折り畳まれた状態で光半導体装置の不必要な動作を防止できる。
【００９０】
上記第１〜第４実施形態では、受光素子にフォトダイオードを用いたが、これに限らず、フォトトランジスタや他の受光素子を用いてもよい。
【００９１】
この発明の具体的な実施の形態について説明したが、この発明は上記第１〜第４実施形態に限定されるものではなく、この発明の範囲内で種々変更して実施することができる。
【図面の簡単な説明】
【００９２】
【図１】図１は従来の物体検出センサを概略的に示すブロック図である。
【図２】図２は従来の照度センサを概略的に示すブロック図である。
【図３】図３はこの発明の第１実施形態の光半導体装置を示すブロック図である。
【図４】図４は上記光半導体装置の信号処理のタイミングを示す図である。
【図５】図５は上記光半導体装置の受光素子の光量の距離特性を示す図である。
【図６】図６は上記光半導体装置の受光素子の分光感度を示す図である。
【図７】図７はこの発明の第２実施形態の光半導体装置を示す構成図である。
【図８】図８は上記光半導体装置の出力形態を示す図である。
【図９】図９はこの発明の第３実施形態の光半導体装置を示すブロック図である。
【図１０】図１０はこの発明の第４実施形態の光半導体装置が搭載された携帯電話を示す図である。
【図１１】図１１は上記携帯電話の構成を示す概略ブロック図である。
【符号の説明】
【００９３】
１…携帯電話
２…光半導体装置
３…制御装置
３０１…第１ＰＤ
３０２…第１増幅器
３０３…第２増幅器
３０４…第２ＰＤ
３０５…第３増幅器
３０６…第４増幅器
３０７…信号処理回路
３０８…タイミング生成回路
３０９…発振器
３１０…ＬＥＤドライバ部
３１１…ＬＥＤ
３１２…検出物
７００…透明樹脂モールド部
７０１…検出物
７０２…遮光部
７０３…信号処理部
９０１…ＰＤ
９０２…増幅器
９０３…増幅器
９０４…信号処理回路
９０５…タイミング生成回路
９０６…発振器
９０７…ＬＥＤドライバ部
９０８…ＬＥＤ
【図１】
2010032254.tif 000003
【図２】
2010032254.tif 000004
【図３】
2010032254.tif 000005
【図４】
2010032254.tif 000006
【図５】
2010032254.tif 000007
【図６】
2010032254.tif 000008
【図７】
2010032254.tif 000009
【図８】
2010032254.tif 000010
【図９】
2010032254.tif 000011
【図１０】
2010032254.tif 000012
【図１１】
2010032254.tif 000013